(57)【要約】      （修正有）【課題】立ち上がり困難な訓練者が、立ち上がりが出来るようになるために安全に座ったままで訓練が出来る運動器具を提供する。【解決手段】重り５を具備して負荷を変える事が出来る機構を有し、座位姿勢にて行うフレーム構造の運動器具であって、床面に設置される装置本体１と、前記装置本体１に具備される椅子２と、前記装置本体１に具備される揺動アーム７と、前記揺動アーム７に負荷を付与するための負荷付与手段を備え、前記揺動アーム７には股関節部裏面大腿部裏面下腿部裏面載置手段１８、股関節部表面大腿部表面載置手段、大腿部内外側面下腿部内外側面載置手段、腹部胸部肩部載置手段、または腰部背中下部背中中部背中上部載置手段のうち少なくとも一つの載置手段を設けた。【選択図】図３
0003224810.tif 000002
【実用新案登録請求の範囲】
【請求項１】
重りを具備して負荷を変える事が出来る機構を有し、座位姿勢にて行うフレーム構造の運動器具であって、床面に設置される装置本体と、前記装置本体に具備される椅子と、前記装置本体に具備される揺動アームと、前記揺動アームに負荷を付与するための負荷付与手段とを備え、前記揺動アームには股関節部裏面大腿部裏面下腿部裏面載置手段、股関節部表面大腿部表面載置手段、大腿部内外側面下腿部内外側面載置手段、腹部胸部肩部載置手段、または腰部背中下部背中中部背中上部載置手段のうち少なくとも一つの載置手段を設けたことを特徴とする運動器具。
【請求項２】
前記装置本体に具備された椅子は、前記椅子下部に椅子軸と前記椅子軸に連結された椅子揺動軸受を設けると共に、前記椅子の過剰な揺動動作を緩和するための緩衝部材を設けたことを特徴とする請求項１に記載の運動器具。
【請求項３】
前記股関節部裏面大腿部裏面下腿部裏面載置手段は、前記揺動アームに水平に設けた左右一対の股関節部裏面載置用軸と大腿部裏面載置用軸と下腿部裏面載置用軸にそれぞれ回転自在に取り付けた股関節部裏面載置具と大腿部裏面載置具と下腿部裏面載置具とからなり、前記股関節部裏面載置具と前記大腿部裏面載置具と前記下腿部裏面載置具は、股関節部裏面大腿部裏面下腿部裏面の前後の揺動動作に連動して正逆回転することを特徴とする請求項１または請求項２に記載の運動器具。
【請求項４】
前記股関節部表面大腿部表面載置手段は、前記揺動アームに水平に設けた左右一対の股関節部表面載置用軸と大腿部表面載置用軸とにそれぞれ回転自在に取り付けた股関節部表面載置具と大腿部表面載置具とからなり、前記股関節部表面載置具と前記大腿部表面載置具は、股関節部表面大腿部表面の前後の揺動動作に連動して正逆回転することを特徴とする請求項１または請求項２に記載の運動器具。
【請求項５】
前記大腿部内外側面下腿部内外側面載置手段は、前記揺動アームに垂直に設けた左右一対の大腿部内外側面下腿部内外側面載置用軸に回転自在に取り付けた大腿部内外側面下腿部内外側面載置具とからなり、前記大腿部内外側面下腿部内外側面載置具は、大腿部内外側面下腿部内外側面の前後の揺動動作に連動して正逆回転することを特徴とする請求項１または請求項２に記載の運動器具。
【請求項６】
前記腹部胸部肩部載置手段は、前記揺動アームに水平に設けた腹部載置用軸と胸部載置用軸と肩部載置用軸とにそれぞれ回転自在に取り付けた腹部載置具と胸部載置具と肩部載置具とからなり、前記腹部載置具と前記胸部載置具と前記肩部載置具は、腹部胸部肩部の前後の揺動動作に連動して正逆回転することを特徴とする請求項１または請求項２に記載の運動器具。
【請求項７】
前記腰部背中下部背中中部背中上部載置手段は、前記揺動アームに水平に設けた腰部載置用軸と背中下部載置用軸と背中中部載置用軸と背中上部載置用軸にそれぞれ回転自在に取り付けた腰部載置具と背中下部載置具と背中中部載置具と背中上部載置具からなり、前記腰部載置具と前記背中下部載置具と前記背中中部載置具と前記背中上部載置具は、腰部背中下部背中中部背中上部の前後の揺動動作に連動して正逆回転することを特徴とする請求項１または請求項２に記載の運動器具。
【考案の詳細な説明】
【技術分野】
【０００１】  本考案は、椅子に座る通常生活で稼働させる機会の少ない立ち上がりに使用する大腿部下腿部の筋肉群、臀部筋肉群、腹部筋肉群、および腰部背部筋肉群などを座ったままで安全に活性化させることを目的にした運動器具に関する。
【背景技術】
【０００２】  日常生活では、椅子に座る姿勢が常態化している。椅子に座る姿勢により、股関節部大腿部下腿部や臀部筋肉群や腹部筋肉群や腰部背部筋肉群を使う機会が少なくなり高齢化と共に足腰や腹筋や背筋が弱り立ち上がり困難や歩行困難などの悪循環に陥る。【０００３】  このようなことから、立ち上がり訓練のための運動器具が提案され実用に供されている。（特許文献１参照）
【先行技術文献】
【特許文献】
【０００４】
【特許文献１】特開２００９−２０１８８０号公報
【考案の概要】
【考案が解決しようとする課題】
【０００５】  上述した運動器具においては、座った状態にて揺動アームのクッションを両太股の上側に作用させて座部材から立ち上り運動を行う機能を備えている。【０００６】  ところが、立ち上がりが困難な訓練者に、安全に立ち上がりが出来る状態になるまでは、座ったままで股関節部大腿部下腿部や腰部臀部の筋肉群や腹筋や背筋の訓練が出来る運動器具の実現が望まれていた。【０００７】  本考案の目的は、立ち上がりが困難な高齢者などに座った状態で安全に訓練に用いることができる運動器具を提供することである。
【課題を解決するための手段】
【０００８】  本考案の請求項１に記載の運動器具では、重りを具備して負荷を変える事が出来る機構を有し、座位姿勢にて行うフレーム構造の運動器具であって、床面に設置される装置本体と、前記装置本体に具備される椅子と、前記装置本体に具備される揺動アームと、前記揺動アームに負荷を付与するための負荷付与手段とを備えることにより、訓練者は前記座位姿勢になり前記揺動アームに具備された股関節部裏面大腿部裏面下腿部裏面載置手段、股関節部表面大腿部表面載置手段、大腿部内外側面下腿部内外側面載置手段、腹部胸部肩部載置手段、または腰部背中下部背中中部背中上部載置手段に、股関節部裏面大腿部裏面下腿部裏面、股関節部表面大腿部表面、大腿部内外側面下腿部内外側面、腹部胸部肩部、または腰部背中下部背中中部背中上部を載置し、座った状態で前記股関節部裏面大腿部裏面下腿部裏面、前記股関節部表面大腿部表面、前記大腿部内外側面下腿部内外側面、前記腹部胸部肩部、または前記腰部背中下部背中中部背中上部を揺動させることによって立ち上がり困難な訓練者が、立ち上がりが出来るようになるために座った状態で安全に左右股関節部大腿部下腿部や臀部の筋肉群や腹部や背部の筋肉群の訓練が出来る。【０００９】  また、本考案の請求項２に記載の運動器具では、装置本体に具備された椅子は、前記椅子下部に椅子軸と前記椅子軸に連結された椅子揺動軸受を設けると共に、前記椅子の過剰な揺動動作を緩和するための緩衝部材を設けたことを特徴とする。【００１０】  また、本考案の請求項３に記載の運動器具では、股関節部裏面大腿部裏面下腿部裏面載置手段は、前記揺動アームに水平に設けた左右一対の股関節部裏面載置用軸と大腿部裏面載置用軸と下腿部裏面載置用軸にそれぞれ回転自在に取り付けた股関節部裏面載置具と大腿部裏面載置具と下腿部裏面載置具とからなり、前記股関節部裏面載置具と前記大腿部裏面載置具と前記下腿部裏面載置具は、股関節部裏面大腿部裏面下腿部裏面の前後の揺動動作に連動して正逆回転することを特徴とする。【００１１】  また、本考案の請求項４に記載の運動器具では、股関節部表面大腿部表面載置手段は、前記揺動アームに水平に設けた左右一対の股関節部表面載置用軸と大腿部表面載置用軸とにそれぞれ回転自在に取り付けた股関節部表面載置具と大腿部表面載置具とからなり、前記股関節部表面載置具と前記大腿部表面載置具は、股関節部表面大腿部表面の前後の揺動動作に連動して正逆回転することを特徴とする。【００１２】  また、本考案の請求項５に記載の運動器具では、大腿部内外側面下腿部内外側面載置手段は、前記揺動アームに垂直に設けた左右一対の大腿部内外側面載置用軸と下腿部内外側面載置用軸にそれぞれ回転自在に取り付けた大腿部内外側面載置具と下腿部内外側面載置具とからなり、前記大腿部内外側面載置具と前記下腿部内外側面載置具は、大腿部内外側面下腿部内外側面の前後の揺動動作に連動して正逆回転することを特徴とする。【００１３】  また、本考案の請求項６に記載の運動器具では、腹部胸部肩部載置手段は、前記揺動アームに水平に設けた腹部載置用軸と胸部載置用軸と肩部載置用軸とにそれぞれ回転自在に取り付けた腹部載置具と胸部載置具と肩部載置具とからなり、前記腹部載置具と前記胸部載置具と前記肩部載置具は、腹部胸部肩部の前後の揺動動作に連動して正逆回転することを特徴とする。【００１４】  また、本考案の請求項７に記載の運動器具では、腰部背中下部背中中部背中上部載置手段は、前記揺動アームに水平に設けた腰部載置用軸と背中下部載置用軸と背中中部載置用軸と背中上部載置用軸にそれぞれ回転自在に取り付けた腰部載置具と背中下部載置具と背中中部載置具と背中上部載置具とからなり、前記腰部載置具と前記背中下部載置具と前記背中中部載置具と前記背中上部載置具は、腰部背中下部背中中部背中上部の前後の揺動動作に連動して正逆回転することを特徴とする。
【考案の効果】
【００１５】  本考案の請求項１に記載の運動器具では、重りを具備して負荷を変える事が出来る機構を有し、座位姿勢にて行うフレーム構造の運動器具であって、床面に設置される装置本体と、前記装置本体に具備される椅子と、前記装置本体に具備される揺動アームと、前記揺動アームに負荷を付与するための負荷付与手段とを備えることにより、訓練者は前記座位姿勢になり前記揺動アームに具備された股関節部裏面大腿部裏面下腿部裏面載置手段、股関節部表面大腿部表面載置手段、大腿部内外側面下腿部内外側面載置手段、腹部胸部肩部載置手段、または腰部背中下部背中中部背中上部載置手段に股関節部裏面大腿部裏面下腿部裏面、股関節部表面大腿部表面、大腿部内外側面下腿部内外側面、腹部胸部肩部、または腰部背中下部背中中部背中上部を載置し、座った状態で前記股関節部裏面大腿部裏面下腿部裏面、前記股関節部表面大腿部表面、前記大腿部内外側面下腿部内外側面、前記腹部胸部肩部、または前記腰部背中下部背中中部背中上部を揺動させることによって立ち上がり困難な前記訓練者が、立ち上がりが出来るようになるために座った状態で安全に左右股関節部大腿部下腿部や臀部の筋肉群や腹部や背部の筋肉群の訓練が出来る。【００１６】  また、本考案の請求項２に記載の運動器具では、装置本体に具備された椅子は、前記椅子下部に椅子軸と前記椅子軸に連結された椅子揺動軸受を設けると共に、前記椅子の過剰な揺動動作を緩和するための緩衝部材として前記椅子軸の前、前記装置本体の前方に支柱Ａを設け、前記椅子軸の後、前記装置本体の後方に支柱Ｂを設け、前記支柱Ａと前記支柱Ｂのそれぞれにバネ（緩衝部材）を具備したことにより、前記椅子が前後過剰な揺動で筋肉群に無理な負荷を掛けること無くスムーズな訓練が出来る。【００１７】  また、本考案の請求項３に記載の運動器具では、股関節部裏面大腿部裏面下腿部裏面載置手段は、前記揺動アームに水平に設けた左右一対の股関節部裏面載置用軸と大腿部裏面載置用軸と下腿部裏面載置用軸にそれぞれ回転自在に取り付けた股関節部裏面載置具と大腿部裏面載置具と下腿部裏面載置具とからなり、前記股関節部裏面載置具と前記大腿部裏面載置具と前記下腿部裏面載置具は、股関節部裏面大腿部裏面下腿部裏面の前後の揺動動作に連動して正逆回転することで、訓練者の前記股関節部裏面大腿部裏面下腿部裏面が載置し易くなり、前記股関節部裏面大腿部裏面下腿部裏面の摩擦を無くして前記股関節部裏面大腿部裏面下腿部裏面や臀部の筋肉群訓練がスムーズに出来る。【００１８】  また、本考案の請求項４に記載の運動器具では、股関節部表面大腿部表面載置手段は、前記揺動アームに水平に設けた左右一対の股関節部表面載置用軸と大腿部表面載置用軸にそれぞれ回転自在に取り付けた股関節部表面載置具と大腿部表面載置具とからなり、前記股関節部表面載置具と前記大腿部表面載置具は、股関節部表面大腿部表面の前後の揺動動作に連動して正逆回転することで、訓練者の前記股関節部表面大腿部表面が載置し易くなり、前記股関節部表面大腿部表面の摩擦を無くして前記股関節部表面大腿部表面や臀部の筋肉群訓練がスムーズに出来る。【００１９】  また、本考案の請求項５に記載の運動器具では、大腿部内外側��下腿部内外側面載置手段は、前記揺動アームに垂直に設けた左右一対の大腿部内外側面下腿部内外側面載置用軸に回転自在に取り付けた大腿部内外側面下腿部内外側面載置具とからなり、前記大腿部内外側面下腿部内外側面載置具は、大腿部内外側面下腿部内外側面の前後の揺動動作に連動して正逆回転することで、訓練者の前記大腿部内外側面下腿部内外側面が載置し易くなり、前記大腿部内外側面下腿部内外側面の摩擦を無くして前記大腿部内外側面下腿部内外側面や臀部の筋肉群訓練がスムーズに出来る。【００２０】  また、本考案の請求項６に記載の運動器具では、腹部胸部肩部載置手段は、前記揺動アームに水平に設けた腹部載置用軸と胸部載置用軸と肩部載置用軸にそれぞれ回転自在に取り付けた腹部載置具と胸部載置具と肩部載置具とからなり、前記腹部載置具と前記胸部載置具と前記肩部載置具は、腹部胸部肩部の前後の揺動動作に連動して正逆回転することで、訓練者の前記腹部胸部肩部が載置し易くなり、前記腹部胸部肩部の摩擦を無くして前記腹部胸部肩部の筋肉群の訓練がスムーズに出来る。【００２１】  また、本考案の請求項７に記載の運動器具では、腰部背中下部背中中部背中上部載置手段は、前記揺動アームに水平に設けた腰部載置用軸と背中下部載置用軸と背中中部載置用軸と背中上部載置用軸にそれぞれ回転自在に取り付けた腰部載置具と背中下部載置具と背中中部載置具と背中上部載置具からなり、前記腰部載置具と前記背中下部載置具と前記背中中部載置具と前記背中上部載置具は、腰部背中下部背中中部背中上部の前後の揺動動作に連動して正逆回転することで、訓練者の前記腰部背中下部背中中部背中上部が載置し易くなり、前記腰部背中下部背中中部背中上部の摩擦を無くして前記腰部背中下部背中中部背中上部の筋肉群の訓練がスムーズに出来る。
【図面の簡単な説明】
【００２２】
【図１】  運動器具の股関節部裏面大腿部裏面下腿部裏面運動の実施形態を示す正面図である。
【図２】  図１の運動器具の右側面図である。
【図３】  図１の運動器具を用いた股関節部裏面の前下方揺動運動前における運動姿勢を説明するための図である。
【図４】  図１の運動器具を用いた股関節部裏面の前下方揺動運動後における運動姿勢を説明するための図である。
【図５】  運動器具の股関節部表面大腿部表面の実施形態を示す正面図である。
【図６】  図５の運動器具の右側面図である。
【図７】  図５の運動器具を用いた大腿部表面の前上方揺動運動前における運動姿勢を説明するための図である。
【図８】  図５の運動器具を用いた大腿部表面の前上方揺動運動後における運動姿勢を説明するための図である。
【図９】  運動器具の大腿部内外側面下腿部内外側面の実施形態を示す正面図である。
【図１０】  図９の運動器具の右側面図である。
【図１１】  図９の運動器具を用いた大腿部外側面の外方揺動運動前における運動姿勢を説明するための図である。
【図１２】  図９の運動器具を用いた大腿部外側面の外方揺動運動後における運動姿勢を説明するための図である。
【図１３】  運動器具の腹部胸部肩部の実施形態を示す正面図である。
【図１４】  図１３の運動器具の右側面図である。
【図１５】  図１３の運動器具を用いた腹部胸部肩部の前方揺動運動前における運動姿勢を説明するための図である。
【図１６】  図１３の運動器具を用いた腹部胸部肩部の前方揺動運動後における運動姿勢を説明するための図である。
【図１７】  運動器具の腰部背中下部背中中部背中上部の実施形態を示す正面図である。
【図１８】  図１７の運動器具の右側面図である。
【図１９】  図１７の運動器具を用いた腰部背中下部背中中部背中上部の後方揺動運動前における運動姿勢を説明するための図である。
【図２０】  図１７の運動器具を用いた腰部背中下部背中中部背中上部の後方揺動運動後における運動姿勢を説明するための図である。
【考案を実施するための形態】
【００２３】  以下、図１〜図２０に基づき、本考案の運動器具の実施形態について説明する。図１は、運動器具の一実施形態を示す正面図であり、図２は、図１の運動器具の右側面図であり、図３と図４は、図１の運動器具を用いた股関節部裏面運動前と股関節部裏面運動後の姿勢を説明するための図である。
【００２４】  図１及び図２において、図示の運動器具は、装置本体１に椅子２を具備し、前記装置本体１に左右一対の揺動アーム７を具備し、前記揺動アーム７にそれぞれ回転自在に取り付けた股関節部裏面載置具１２と大腿部裏面載置具１４と下腿部裏面載置具１６とからなり、股関節部裏面載置用軸１３に前記股関節部裏面載置具１２、大腿部裏面載置用軸１５に前記大腿部裏面載置具１４、下腿部裏面載置用軸１７に前記下腿部裏面載置具１６をそれぞれ具備したフレーム構造となっている。
【００２５】  この実施形態では、前記椅子２は前記椅子下部の椅子揺動軸受３を中心として椅子軸４が前後に揺動する構造となっている。前後に揺動する際の緩衝部材として前記椅子軸４の前記装置本体１の前方にバネ用支柱Ａ９を設け、前記椅子軸４の後、前記装置本体１の後方にバネ用支柱Ｂ１０を設け、前記バネ用支柱Ａ９と前記バネ用支柱Ｂ１０のそれぞれにバネ（緩衝部材）８を具備し衝撃を緩和する構造となっている。
【００２６】  揺動自在に装着された前記揺動アーム７は、重り５によって負荷の増減が出来る。前記揺動アーム７には、前記揺動アーム７に水平に設けた左右一対の股関節部裏面載置用軸１３と股関節部裏面載置具１２、大腿部裏面載置用軸１５と大腿部裏面載置具１４、下腿部背面載置用軸１７と下腿部裏面載置具１６を具備し、前記股関節部裏面載置用軸１３を中心に前記股関節部裏面載置具１２が正逆自在に回転でき、前記大腿部裏面載置用軸１５を中心に前記大腿部裏面載置具１４が正逆自在に回転でき、前記下腿部裏面載置用軸１７を中心に前記下腿部裏面載置具１６が正逆自在に回転できる構造であり、股関節部裏面大腿部裏面下腿部裏面載置手段１８として構成されている。
【００２７】  上述した運動器具の装置本体１を用いて、股関節部裏面大腿部裏面下腿部裏面の筋肉群を座ったままで訓練を行うには、次の通りにすれば良い、主として、図３を参照して、訓練者１１は、前記装置本体１の前記椅子２に前記装置本体１に向かって、股関節部裏面を前記股関節部裏面載置具１２に載せて座る。次に図４のように、前記股関節部裏面載置具１２に載せた股関節部裏面を前下方に揺動させることで前記股関節部裏面の筋肉群の筋力活性化を図ることができる。同様にして、前記訓練者１１は、前記装置本体１の前記椅子２に前記装置本体１に向かって、大腿部裏面を大腿部裏面載置具１４に載せて座る。前記大腿部裏面載置具１４に載せた前記大腿部裏面を前下方に揺動させることで前記大腿部裏面の筋肉群の筋力活性化を図ることができる。同様にして、前記訓練者１１は、前記装置本体１の前記椅子２に前記装置本体１に向かって、下腿部裏面を前記下腿部裏面載置具１６に載せて座る。前記下腿部裏面載置具１６に載せた前記下腿部裏面を前下方に揺動させることで前記下腿部裏面の筋肉群の筋力活性化を図ることができる。
【００２８】  特に、この前記装置本体１においては、前記訓練者１１は前記股関節部裏面大腿部裏面下腿部裏面を前後方向に揺動させる際、座っている前記椅子２の前記椅子軸４が前記椅子揺動軸受３を中心に前後に揺動すると同時に、その動きに連動して前記揺動アーム７に具備されている前記股関節部裏面載置具１２や前記大腿部裏面載置具１４や前記下腿部裏面載置具１６が正逆回転することで、前記訓練者１１の前記股関節部裏面大腿部裏面下腿部裏面が載置し易くなり、前記股関節部裏面大腿部裏面下腿部裏面の摩擦を無くして前記股関節部裏面大腿部裏面下腿部裏面の筋肉群の訓練がスムーズに出来ることで前記股関節部裏面大腿部裏面下腿部裏面や臀部の筋肉群の筋力活性化を図ることができる。
【００２９】  図５は、運動器具の一実施形態を示す正面図であり、図６は、図５の運動器具の右側面図であり、図７と図８は、図５の運動器具を用いた大腿部表面運動前と大腿部表面運動後の姿勢を説明するための図である。
【００３０】  図５及び図６において、図示の運動器具は、装置本体２１に椅子２２を具備し、前記装置本体２１に左右一対の揺動アーム２６を具備し、前記揺動アーム２６にそれぞれ回転自在に取り付けた股関節部表面載置具３２と大腿部表面載置具３４とからなり、股関節部表面載置用軸３３に前記股関節部表面載置具３２、大腿部表面載置用軸３５に前記大腿部表面載置具３４をそれぞれ具備したフレーム構造となっている。
【００３１】  この実施形態では、前記椅子２２は椅子下部の椅子揺動軸受２３を中心として椅子軸２４が前後に揺動する構造となっている。前後に揺動する際の緩衝部材として前記椅子軸２４の前記装置本体２１の前方にバネ用支柱Ａ２９を設け、前記椅子軸２４の後、前記装置本体２１の後方にバネ用支柱Ｂ３０を設け、前記バネ用支柱Ａ２９と前記バネ用支柱Ｂ３０のそれぞれにバネ（緩衝部材）２８を具備し衝撃を緩和する構造となっている。
【００３２】  揺動自在に装着された前記揺動アーム２７は、重り２５によって負荷の増減が出来る。前記揺動アーム２７には、前記揺動アーム２７に水平に設けた左右一対の前記股関節部表面載置用軸３３と前記股関節部表面載置具３２、前記大腿部表面載置用軸３５と前記大腿部表面載置具３４を具備し、前記股関節部表面載置用軸３３を中心に前記股関節部表面載置具３２が正逆自在に回転でき、前記大腿部表面載置用軸３５を中心に前記大腿部表面載置具３４が正逆自在に回転できる構造であり、股関節部表面大腿部表面載置手段３６として構成されている。
【００３３】  上述した運動器具の前記装置本体２１を用いて、股関節部表面大腿部表面の筋肉群を座ったままで訓練を行うには、次の通りにすれば良い。主として、図７を参照して、訓練者３１は、前記装置本体２１の前記椅子２２に前記装置本体２１に向かって、大腿部表面に前記大腿部表面載置具３４を載せて座る。次に図８のように、前記大腿部表面に前記大腿部表面載置具３４を載せて前上方に揺動させることで前記大腿部表面の筋肉群の筋力活性化を図ることができる。同様にして、前記訓練者３１は、前記装置本体２１の前記椅子２２に前記装置本体２１に向かって、股関節部表面に前記股関節部表面載置具３２を載せて座る。前記股関節部表面に前記股関節部表面載置具３２を載せて前上方に揺動させることで前記股関節部表面の筋肉群の筋力活性化を図ることができる。
【００３４】  特に、この前記装置本体２１においては、前記訓練者３１は股関節部表面大腿部表面を前後方向に揺動させる際、座っている前記椅子２２の前記椅子軸２４が前記椅子揺動軸受２３を中心に前後に揺動すると同時に、その動きに連動して前記揺動アーム２７に具備されている前記股関節部表面載置具３２や前記大腿部表面載置具３４が正逆回転することで、前記訓練者３１の前記股関節部表面大腿部表面が載置し易くなり、前記股関節部表面大腿部表面の摩擦を無くして前記股関節部表面大腿部表面の筋肉群の訓練がスムーズに出来ることで前記股関節部表面大腿部表面や臀部の筋肉群の筋力活性化を図ることができる。
【００３５】  図９は、運動器具の一実施形態を示す正面図であり、図１０は、図９の運動器具の右側面図であり、図１１と図１２は、図９の運動器具を用いた大腿部外側面運動前と大腿部外側面運動後の姿勢を説明するための図である。
【００３６】  図９及び図１０において、図示の運動器具は、装置本体４１に椅子４２を具備し、前記装置本体４１に左右一対の揺動アーム４６を具備し、前記揺動アーム４７にそれぞれ回転自在に取り付けた大腿部内外側面下腿部内外側面載置具５２からなり、大腿部内外側面下腿部内外側面載置用軸５３に前記大腿部内外側面下腿部内外側面載置具５２を具備したフレーム構造となっている。
【００３７】  この実施形態では、前記椅子４２は椅子下部の椅子揺動軸受４３を中心として椅子軸４４が前後に揺動する構造となっている。前後に揺動する際の緩衝部材として前記椅子軸４４の前記装置本体４１の前方にバネ用支柱Ａ４９を設け、前記椅子軸４４の後、前記装置本体４１の後方にバネ用支柱Ｂ５０を設け、前記バネ用支柱Ａ４９と前記バネ用支柱Ｂ５０のそれぞれにバネ（緩衝部材）４８を具備し衝撃を緩和する構造となっている。
【００３８】  揺動自在に装着された前記揺動アーム４７は、重り４５によって負荷の増減が出来る。前記揺動アーム４７には、前記揺動アーム４７に垂直に設けた前記大腿部内外側面下腿部内外側面載置用軸５３と前記大腿部内外側面下腿部内外側面載置具５２を具備し、前記大腿部内外側面下腿部内外側面載置用軸５３を中心に前記大腿部内外側面下腿部内外側面載置具５２が正逆自在に回転できる構造であり、大腿部内外側面下腿部内外側面載置手段５４として構成されている。
【００３９】  上述した運動器具の前記装置本体４１を用いて、大腿部内外側面下腿部内外側面の筋肉群を座ったままで訓練を行うには、次の通りにすれば良い。主として、図１１を参照して、訓練者５１は、前記装置本体４１の前記椅子４２に前記装置本体４１に向かって、大腿部外側面に前記大腿部内外側面下腿部内外側面載置具５２を当てて座る。次に図１２のように、大腿部外側面に前記大腿部内外側面下腿部内外側面載置具５２を当てて大腿部を開いて外側に揺動させることで大腿部外側面の筋肉群の筋力活性化を図ることができる。同様にして、前記訓練者５１は、前記装置本体４１の前記椅子４２に前記装置本体４１に向かって、下腿部外側面に前記大腿部内外側面下腿部内外側面載置具５２を当てて座る。前記下腿部外側面に前記大腿部内外側面下腿部内外側面載置具５２を当てて下腿部を開いて外側に揺動させることで前記下腿部外側面の筋肉群の筋力活性化を図ることができる。同様にして、前記訓練者５１は、前記装置本体４１の前記椅子４２に前記装置本体４１に向かって、大腿部内側面に前記大腿部内外側面下腿部内外側面載置具５２を当てて座る。前記大腿部内側面に前記大腿部内外側面下腿部内外側面載置具５２を当てて大腿部を閉じて内側に揺動させることで前記大腿部内側面の筋肉群の筋力活性化を図ることができる。同様にして、前記訓練者５１は、前記装置本体４１の前記椅子４２に前記装置本体４１に向かって、下腿部内側面に前記大腿部内外側面下腿部内外側面載置具５２を当てて座る。前記下腿部内側面に前記大腿部内外側面下腿部内外側面載置具５２を当てて下腿部を閉じて内側に揺動させることで前記下腿部内側面の筋肉群の筋力活性化を図ることができる。
【００４０】  特に、この前記装置本体４１においては、前記訓練者５１は大腿部内外側面下腿部内外側面を内側外側方向に揺動させる際、座っている前記椅子４２の前記椅子軸４４が前記椅子揺動軸受４３を中心に前後に揺動すると同時に、その動きに連動して前記揺動アーム４７に具備されている前記大腿部内外側面下腿部内外側面載置具５２が正逆回転することで、前記訓練者５１の大腿部内外側面下腿部内外側面が載置し易くなり、前記大腿部内外側面下腿部内外側面の摩擦を無くして前記大腿部内外側面下腿部内外側面の筋肉群の訓練がスムーズに出来ることで前記大腿部内外側面下腿部内外側面や臀部の筋肉群の筋力活性化を図ることができる。
【００４１】  図１３は、運動器具の一実施形態を示す正面図であり、図１４は、図１３の運動器具の右側面図であり、図１５と図１６は、図１３の運動器具を用いた腹部胸部肩部運動前と腹部胸部肩部運動後の姿勢を説明するための図である。
【００４２】  図１５及び図１６において、図示の運動器具は、装置本体６１に椅子６２を具備し、前記装置本体６１に揺動アーム６７を具備し、前記揺動アーム６７にそれぞれ正逆回転自在に取り付けた腹部載置具７２と胸部載置具７４と肩部載置具７６とからなり、腹部載置用軸７３に前記腹部載置具７２、胸部載置用軸７５に前記胸部載置具７４、肩部載置用軸７７に前記肩部載置具７６をそれぞれ具備したフレーム構造となっている。
【００４３】  この実施形態では、前記椅子６２は椅子下部の椅子揺動軸受６３を中心として椅子軸６４が前後に揺動する構造となっている。前後に揺動する際の緩衝部材として前記椅子軸６４の前記装置本体６１の前方にバネ用支柱Ａ６９を設け、前記椅子軸６４の後、前記装置本体６１の後方にバネ用支柱Ｂ７０を設け、前記バネ用支柱Ａ６９と前記バネ用支柱Ｂ７０のそれぞれにバネ（緩衝部材）６８を具備し衝撃を緩和する構造となっている。
【００４４】  揺動自在に装着された前記揺動アーム６７は、重り６５によって負荷の増減が出来る。前記揺動アーム６７には、前記揺動アーム６７に水平に設けた前記腹部載置用軸７３と前記腹部載置具７２、前記胸部載置用軸７５と前記胸部載置具７４、前記肩部載置用軸７７と前記肩部載置具７６をそれぞれ具備し、前記腹部載置用軸７３を中心に前記腹部載置具７２が正逆自在に回転でき、前記胸部載置用軸７５を中心に前記胸部載置用具７４が正逆自在に回転でき、前記肩部載置用軸７７を中心に前記肩部載置具７６が正逆自在に回転できる構造であり、腹部胸部肩部載置手段７８として構成されている。
【００４５】  上述した運動器具の前記装置本体６１を用いて、腹部胸部肩部の筋肉群を座ったままで訓練を行うには、次の通りにすれば良い。主として、図１５を参照して、訓練者７１は、前記装置本体６１の前記椅子６２に前記装置本体６１に向かって、腹部に前記腹部載置具７２、胸部に前記胸部載置具７４、肩部に前記肩部載置具７６をそれぞれ載せて座る。次に図１６のように、前記腹部胸部肩部を前下方に揺動させることで前記腹部胸部肩部の筋肉群の筋力活性化を図ることができる。
【００４６】  特に、この前記装置本体６１においては、前記訓練者７１は前記腹部胸部肩部を前下方向に揺動させる際、座っている前記椅子６２の前記椅子軸６４が椅子揺動軸受６３を中心に前後に揺動すると同時に、その動きに連動して前記揺動アーム６７に具備されている前記腹部載置具７２、前記胸部載置具７４、前記肩部載置具７６がそれぞれ正逆回転することで、前記訓練者７１の前記腹部胸部肩部が載置し易くなり、前記腹部胸部肩部の摩擦を無くして前記腹部胸部肩部の筋肉群の訓練がスムーズに出来ることで前記腹部胸部肩部の筋肉群の筋力活性化を図ることができる。
【００４７】  図１７は、運動器具の一実施形態を示す正面図であり、図１８は、図１７の運動器具の右側面図であり、図１９と図２０は、図１７の運動器具を用いた腰部背中下部背中中部背中上部運動前と腰部背中下部背中中部背中上部運動後の姿勢を説明するための図である。
【００４８】  図１７及び図１８において、図示の運動器具は、装置本体８１に椅子８２を具備し、前記装置本体８１に揺動アーム８７を具備し、前記揺動アーム８７にそれぞれ正逆回転自在に取り付けた腰部載置具９２と背中下部載置具９４と背中中部載置具９６と背中上部載置具９８からなり、腰部載置用軸９３に前記腰部載置具９２、背中下部載置用軸９５に前記背中下部載置具９４、背中中部載置用軸９７に前記背中中部載置具９６、背中上部載置用軸９９に前記背中上部載置用具９８をそれぞれ具備したフレーム構造となっている。
【００４９】  この実施形態では、前記椅子８２は椅子下部の椅子揺動軸受８３を中心として椅子軸８４が前後に揺動する構造となっている。前後に揺動する際の緩衝部材として前記椅子軸８４の前記装置本体８１の前方にバネ用支柱Ａ８９を設け、前記椅子軸８４の後、前記装置本体８１の後方にバネ用支柱Ｂ９０を設け、前記バネ用支柱Ａ８９と前記バネ用支柱Ｂ９０のそれぞれにバネ（緩衝部材）８８を具備し衝撃を緩和する構造となっている。
【００５０】  揺動自在に装着された前記揺動アーム８７は、重り８５によって負荷の増減が出来る。前記揺動アーム８７には、前記揺動アーム８７に水平に設けた前記腰部載置用軸９３に前記腰部載置具９２、前記背中下部載置用軸９５に前記背中下部載置具９４、前記背中中部載置用軸９７に前記背中中部載置具９６、前記背中上部載置用軸９９に前記背中上部載置具９８をそれぞれ具備し、前記腰部載置用軸９３を中心に前記腰部載置具９２、前記背中下部載置用軸９５を中心に前記背中下部載置用具９４、前記背中中部載置用軸９７を中心に前記背中中部載置具９６、前記背中上部載置用軸９９を中心に前記背中上部載置具９８がそれぞれ正逆自在に回転できる構造であり、腰部背中下部背中中部背中上部載置手段１００として構成されている。
【００５１】  上述した運動器具の前記装置本体８１を用いて、腰部背中下部背中中部背中上部の筋肉群を座ったままで訓練を行うには、次の通りにすれば良い。主として、図１９を参照して、訓練者９１は、前記装置本体８１の前記椅子８２に前記装置本体８１に背中を向けて、腰部に前記腰部載置具９２、背中下部に前記背中下部載置具９４、背中中部に前記背中中部載置具９６、背中上部に前記背中上部載置具９８をそれぞれ当てて座る。次に図２０のように、腰部に前記腰部載置具９２、背中下部に前記背中下部載置具９４、背中中部に前記背中中部載置具９６、背中上部に前記背中上部載置具９９をそれぞれ当てて背中を前記装置本体８１の後下方に倒しながら揺動させることで前記腰部背中下部背中中部背中上部の筋肉群の筋力活性化を図ることができる。
【００５２】  特に、この前記装置本体８１においては、前記訓練者９１は前記腰部背中下部背中中部背中上部を後下方向に揺動させる際、座っている前記椅子８２の前記椅子軸８４が前記椅子揺動軸受８３を中心に前後に揺動すると同時に、その動きに連動して前記揺動アーム８７に具備されている前記腰部載置具９２、前記背中下部載置具９４、前記背中中部載置具９６、前記背中上部載置具９８がそれぞれ正逆回転することで、前記訓練者９１の前記腰部背中下部背中中部背中上部が載置し易くなり、前記腰部背中下部背中中部背中上部の摩擦を無くして腰部背中下部背中中部背中上部の筋肉群の訓練がスムーズに出来ることで前記腰部背中下部背中中部背中上部の筋肉群の筋力活性化を図ることができる。
【００５３】  以上、本考案の運動器具の請求項３〜７に記載の載置手段について個々の実施形態を説明したが、本考案はこれらの実施形態に限定されるものではなく、例えば水平の載置用軸に具備した載置具と垂直や斜めの載置用軸に具備した載置具を組み合わせるなどの複数の形態が、本考案の範囲を逸脱することなく変形乃至修正が可能である。
【符号の説明】
【００５４】１、２１、４１、６１、８１  装置本体
２、２２、４２、６２、８２  椅子
３、２３、４３、６３、８３  椅子揺動軸受
４、２４、４４、６４、８４  椅子軸
５、２５、４５、６５、８５  重り（負荷付与手段）
６、２６、４６、６６、８６  揺動アーム軸受
７、２７、４７、６７、８７  揺動アーム
８、２８、４８、６８、８８  バネ（緩衝部材）
９、２９、４９、６９、８９  バネ用支柱Ａ
１０、３０、５０、７０、９０  バネ用支柱Ｂ
１１、３１、５１、７１、９１  訓練者
１２  股関節部裏面載置具
１３  股関節部裏面載置用軸
１４  大腿部裏面載置具
１５  大腿部裏面載置用軸
１６  下腿部裏面載置具
１７  下腿部裏面載置用軸
１８  股関節部裏面大腿部裏面下腿部裏面載置手段
３２  股関節部表面載置具
３３  股関節部表面載置用軸
３４  大腿部表面載置具
３５  大腿部表面載置用軸
３６  股関節部表面大腿部表面載置手段
５２  大腿部内外側面下腿部内外側面載置具
５３  大腿部内外側面下腿部内外側面載置用軸
５４  大腿部内外側面下腿部内外側面載置手段
７２  腹部載置具
７３  腹部載置用軸
７４  胸部載置具
７５  胸部載置用軸
７６  肩部載置具
７７  肩部載置用軸
７８  腹部胸部肩部載置手段
９２  腰部載置具
９３  腰部載置用軸
９４  背中下部載置具
９５  背中下部載置用軸
９６  背中中部載置具
９７  背中中部載置用軸
９８  背中上部載置具
９９  背中上部載置用軸
１００腰部背中下部背中中部背中上部載置手段
【図１】
0003224810.tif 000003
【図２】
0003224810.tif 000004
【図３】
0003224810.tif 000005
【図４】
0003224810.tif 000006
【図５】
0003224810.tif 000007
【図６】
0003224810.tif 000008
【図７】
0003224810.tif 000009
【図８】
0003224810.tif 000010
【図９】
0003224810.tif 000011
【図１０】
0003224810.tif 000012
【図１１】
0003224810.tif 000013
【図１２】
0003224810.tif 000014
【図１３】
0003224810.tif 000015
【図１４】
0003224810.tif 000016
【図１５】
0003224810.tif 000017
【図１６】
0003224810.tif 000018
【図１７】
0003224810.tif 000019
【図１８】
0003224810.tif 000020
【図１９】
0003224810.tif 000021
【図２０】
0003224810.tif 000022